【手続補正書】
【提出日】平成25年10月10日(2013.10.10)
【手続補正１】
【補正対象書類名】特許請求の範囲
【補正対象項目名】全文
【補正方法】変更
【補正の内容】
【特許請求の範囲】
【請求項１】
発呼側装置から送信されるＣＮＧ信号を検出すると、ファクシミリ通信を開始するファクシミリ装置であって、
前記ファクシミリ装置の動作モードが第１のモードであるか第２のモードであるかを判定する判定手段と、
前記判定手段によって、前記動作モードが前記第１のモードであると判定された場合には、ＣＮＧ信号に対応する周波数帯域の信号を検出する第１の検出手段とＣＮＧ信号に対応する周波数帯域以外の周波数帯域の信号を検出する第２の検出手段とを使用してＣＮＧ信号を検出し、前記動作モードが前記第２のモードであると判定された場合には、前記第２の検出手段を使用せず、前記第１の検出手段を使用してＣＮＧ信号を検出する信号検出手段と、
を備えることを特徴とするファクシミリ装置。
【請求項２】
前記第２のモードは、前記発呼側装置からの発呼に対する応答メッセージを送信する動作モードであり、前記第１のモードは、前記応答メッセージを送信しない動作モードであることを特徴とする請求項１に記載のファクシミリ装置。
【請求項３】
前記信号検出手段は、
前記動作モードが前記第１のモードであると判定された場合には、前記第１の検出手段によって信号が検出され、かつ、前記第２の検出手段によって信号が検出されないことにより、ＣＮＧ信号を検出し、
前記動作モードが前記第２のモードであると判定された場合には、前記第１の検出手段によって信号が検出されることにより、ＣＮＧ信号を検出する
ことを特徴とする請求項１または２に記載のファクシミリ装置。
【請求項４】
前記第１の検出手段は、ＣＮＧ信号に対応する周波数帯域の信号のみを通過させ、かつ、ＣＮＧ信号に対応する周波数帯域以外の周波数帯域の信号を通過させない帯域通過フィルタを含み、
前記第２の検出手段は、ＣＮＧ信号に対応する周波数帯域の信号を通過させず、かつ、ＣＮＧ信号に対応する周波数帯域以外の周波数帯域の信号を通過させる帯域阻止フィルタを含む
ことを特徴とする請求項１乃至３のいずれか１項に記載のファクシミリ装置。
【請求項５】
留守番電話機能を有する電話機が接続される接続部をさらに備え、
前記第２のモードは、
前記発呼側装置による発呼に応じて、ＣＮＧ信号が検出されるまでの間、前記留守番電話機能に関連する音声メッセージを前記発呼側装置からの発呼に対する応答メッセージとして、前記接続部に接続された前記電話機から前記ファクシミリ装置を介して前記発呼側装置に送信する動作モードであることを特徴とする請求項１乃至４の何れか１項に記載のファクシミリ装置。
【請求項６】
発呼側装置から送信されるＣＮＧ信号を検出すると、ファクシミリ通信を開始するファクシミリ装置の制御方法であって、
前記ファクシミリ装置の動作モードが第１のモードであるか第２のモードであるかを判定する判定工程と、
前記判定工程において、前記動作モードが前記第１のモードであると判定された場合には、ＣＮＧ信号に対応する周波数帯域の信号を検出する第１の検出手段とＣＮＧ信号に対応する周波数帯域以外の周波数帯域の信号を検出する第２の検出手段とを使用してＣＮＧ信号を検出し、前記動作モードが前記第２のモードであると判定された場合には、前記第２の検出手段を使用せず、前記第１の検出手段を使用してＣＮＧ信号を検出する信号検出工程と、
を含むことを特徴とする制御方法。
【請求項７】
前記第２のモードは、前記発呼側装置からの発呼に対する応答メッセージを送信する動作モードであり、前記第１のモードは、前記応答メッセージを送信しない動作モードであることを特徴とする請求項６に記載の制御方法。
【請求項８】
前記信号検出工程では、
前記動作モードが前記第１のモードであると判定された場合には、前記第１の検出手段によって信号が検出され、かつ、前記第２の検出手段によって信号が検出されないことにより、ＣＮＧ信号を検出し、
前記動作モードが前記第２のモードであると判定された場合には、前記第１の検出手段によって信号が検出されることにより、ＣＮＧ信号を検出する
ことを特徴とする請求項６または７に記載の制御方法。
【請求項９】
前記第１の検出手段は、ＣＮＧ信号に対応する周波数帯域の信号のみを通過させ、かつ、ＣＮＧ信号に対応する周波数帯域以外の周波数帯域の信号を通過させない帯域通過フィルタを含み、
前記第２の検出手段は、ＣＮＧ信号に対応する周波数帯域の信号を通過させず、かつ、ＣＮＧ信号に対応する周波数帯域以外の周波数帯域の信号を通過させる帯域阻止フィルタを含む
ことを特徴とする請求項６乃至８のいずれか１項に記載の制御方法。
【請求項１０】
前記第２のモードは、
前記発呼側装置による発呼に応じて、ＣＮＧ信号が検出されるまでの間、留守番電話機能に関連する音声メッセージを前記発呼側装置からの発呼に対する応答メッセージとして、前記ファクシミリ装置に接続された電話機から前記ファクシミリ装置を介して前記発呼側装置に送信する動作モードであることを特徴とする請求項６乃至９の何れか１項に記載の制御方法。
【請求項１１】
コンピュータを請求項１乃至５のいずれか１項に記載のファクシミリ装置の各手段として機能させるためのプログラム。
【手続補正２】
【補正対象書類名】明細書
【補正対象項目名】００１０
【補正方法】変更
【補正の内容】
【００１０】
本発明は、例えば、ファクシミリ装置として実現できる。ファクシミリ装置は、発呼側装置から送信されるＣＮＧ信号を検出すると、ファクシミリ通信を開始するファクシミリ装置であって、ファクシミリ装置の動作モードが第１のモードであるか第２のモードであるかを判定する判定手段と、判定手段によって、動作モードが第１のモードであると判定された場合には、ＣＮＧ信号に対応する周波数帯域の信号を検出する第１の検出手段と、ＣＮＧ信号に対応する周波数帯域以外の周波数帯域の信号を検出する第２の検出手段とを使用してＣＮＧ信号を検出し、動作モードが第２のモードであると判定された場合には、第２の検出手段を使用せず、第１の検出手段を使用してＣＮＧ信号を検出する信号検出手段と、を備えることを特徴とする。
【手続補正３】
【補正対象書類名】明細書
【補正対象項目名】００４３
【補正方法】変更
【補正の内容】
【００４３】
図６は、ファクシミリ装置１００でＣＮＧ検出が実行されるタイミングにおいて、回線上を流れていることが想定される信号の状態を受信モードごとに概念的に示しており、縦軸は信号レベル、横軸は周波数である。同図において、６０１及び６０２は、受信モードがそれぞれ留守ＴＥＬモード及びＦＡＸ／ＴＥＬモードである場合に対応している。
【手続補正４】
【補正対象書類名】明細書
【補正対象項目名】００５７
【補正方法】変更
【補正の内容】
【００５７】
Ｓ９０３で、ＣＮＧ検出判定部３０９は、バンドリジェクトフィルタ３０７における信号の検出状態を、フィルタ部３０５から取得する。続いて、Ｓ９０４で、ＣＮＧ検出判定部３０９は、バンドリジェクトフィルタ３０７の状態が、信号検出状態であるか否かを判定する。ここで、ＣＮＧ検出判定部３０９は、バンドリジェクトフィルタ３０７が信号検出状態ではない（非検出状態）と判定した場合には、処理をＳ９０５へ進め、ＣＮＧを検出したと決定する。一方で、ＣＮＧ検出判定部３０９は、バンドリジェクトフィルタ３０７が信号検出状態であると判定した場合には、処理をＳ９０６へ進め、ＣＮＧを検出していないと決定する。